(57)【要約】【課題】通信端末と呼処理制御装置とが断絶した場合であっても、通信端末に着信を許可するまでに要する時間を軽減する。【解決手段】本発明は、通信端末１０１から送信された呼制御信号にしたがって、呼に関する制御を行う呼制御装置１０６−１，１０６−２と、通信端末１０１から送信された呼制御信号を受信し、受信した呼制御信号を複製する情報処理部１５１と、複製装置１０５により複製された呼制御信号を呼制御装置１０６−１，１０６−２の夫々に送信可能な情報送信部１５３と、備えて構成されている。【選択図】      図１
2015177489.tif 000002
【特許請求の範囲】
【請求項１】
通信端末から送信された呼制御信号にしたがって、呼に関する制御を行う複数の呼制御装置と、
前記通信端末から送信された前記呼制御信号を受信し、受信した前記呼制御信号を複製する複製装置と、
前記複製装置により複製された前記呼制御信号を前記複数の呼制御装置の夫々に送信可能な情報送信装置と、備える、
ことを特徴とする情報通信制御システム。
【請求項２】
前記複数の呼制御装置のうち、第１の呼制御装置と前記通信端末との接続状態を判定する接続状態判定装置をさらに備え、
前記情報送信装置は、
前記接続状態判定装置により前記通信端末と前記第１の呼制御装置とが接続されていると判定された場合には、前記第１の呼制御装置のみに前記呼制御信号を送信し、
前記通信端末と前記第１の呼制御装置とが接続されていないと判定された場合には、前記複数の呼制御装置のうち、第２の呼制御装置に前記呼制御信号を送信する、
ことを特徴とする請求項２記載の情報通信制御システム。
【請求項３】
前記通信端末から送信された呼制御信号にしたがって、通信端末にサービスを提供可能なサービス提供装置をさらに備え、
前記複製装置は、
前記サービス提供装置により提供されるサービスに基づくサービス内容を複製する、
ことを特徴とする請求項１又は２記載の情報通信制御システム。
【請求項４】
通信端末から呼制御信号を受信し、
受信した前記呼制御信号を複製し、
複製した前記呼制御信号を複数の呼制御装置の夫々に送信する、
ことを特徴とする情報通信制御方法。
【請求項５】
通信端末から送信された呼制御信号を複製する呼制御信号複製手段と、
複製した前記呼制御信号を呼に関する制御を行う複数の呼制御装置の夫々に送信可能な呼制御信号送信手段と、を備える、
ことを特徴とする複製装置。
【発明の詳細な説明】
【技術分野】
【０００１】
本発明は、情報通信制御システム及び情報通信制御方法、ならびに、この情報通信制御システムにおける複製装置に関する。
【背景技術】
【０００２】
従来、情報通信制御システムは、通信端末から呼制御信号（例えば、位置情報）を受信する呼処理制御装置を備え、この呼処理制御装置により通信端末から呼制御信号を受信した場合には、通信端末に対し、着信を許可するものが一般的に知られている。
【０００３】
また、情報通信制御方法として、情報通信制御システムと同様に、呼処理制御装置により通信端末から呼制御信号を受信した場合には、通信端末に対し、着信を許可するものが知られている。
【０００４】
例えば、特許文献１には、Ｐ−ＣＳＣＦ１０５、Ｓ−ＣＳＣＦ１０６を備えた情報通信制御システム、端末、アクセス装置、加入者情報収容装置、サービスプロファイル送信方法及びプログラムが開示されている。
【０００５】
具体的には、特許文献１は、加入者端末１０１−１からＡＰ（Ａｃｃｅｓｓ  Ｐｏｉｎｔ）を介してＰ−ＣＳＣＦ１０５及びＳ−ＣＳＣＦ１０６により呼制御信号を受信している。
【０００６】
なお、Ｐ−ＣＳＣＦ（Ｐｒｏｘｙ−Ｃａｌｌ  Ｓｅｓｓｉｏｎ  Ｃｏｎｔｒｏｌ  Ｆｕｎｃｔｉｏｎ）を示し、Ｓ−ＣＳＣＦ（Ｓｅｒｖｉｎｇ−Ｃａｌｌ  Ｓｅｓｓｉｏｎ  Ｃｏｎｔｒｏｌ  Ｆｕｎｃｔｉｏｎ）を示している。
【０００７】
そして、特許文献１には、これらＰ−ＣＳＣＦ１０５、Ｓ−ＣＳＣＦ１０６により呼制御信号を受信した場合には、加入者端末１０１−１に着信を許可する旨が開示されている。
【先行技術文献】
【特許文献】
【０００８】
【特許文献１】特開２００９−１７７７０２号公報（段落００３０乃至段落００３６）
【発明の概要】
【発明が解決しようとする課題】
【０００９】
ところで、上記特許文献１は、上述したように、通信端末と呼処理制御装置との接続状態が所定の条件を満たしていない、例えば、断絶した場合、通信端末に着信を許可することができなくなってしまう。
【００１０】
ここで、図１１に例示するように、通信端末と呼処理制御装置とが断絶した場合には、バックアップ用の呼処理制御装置を用いて、通信端末に着信を許可することが想定し得る。
【００１１】
しかしながら、バックアップ用の呼処理制御装置を用いて、通信端末に着信を許可する場合、単に、バックアップ用の呼処理制御装置を用いただけでは、通信端末から新たに呼制御信号を受信しなければならない。
【００１２】
このため、単に、バックアップ用の呼処理制御装置を用いただけでは、通信端末に着信を許可するまでに時間を要してしまうという技術的解題がある。
【００１３】
そこで、本発明の目的は、上記従来の実状に鑑みて、通信端末と呼処理制御装置とが断絶した場合であっても、通信端末に着信を許可するまでに要する時間を軽減することが可能な情報通信制御システム及び情報通信制御方法、ならびに、この情報通信制御システムにおける複製装置を提供することにある。
【課題を解決するための手段】
【００１４】
上記目的を達成するために、本発明に係る情報通信制御システムは、通信端末から送信された呼制御信号にしたがって、呼に関する制御を行う複数の呼制御装置と、上記通信端末から送信された上記呼制御信号を受信し、受信した上記呼制御信号を複製する複製装置と、上記複製装置により複製された上記呼制御信号を上記複数の呼制御装置の夫々に送信可能な情報送信装置と、備えて構成されている。
【００１５】
上記目的を達成するために、本発明に係る情報通信制御方法は、通信端末から呼制御信号を受信し、受信した上記呼制御信号を複製し、複製した上記呼制御信号を複数の呼制御装置の夫々に送信する、ことを特徴とする。
【００１６】
上記目的を達成するために、本発明に係る複製装置は、通信端末から送信された呼制御信号を複製する呼制御信号複製手段と、複製した上記呼制御信号を呼に関する制御を行う複数の呼制御装置の夫々に送信可能な呼制御信号送信手段と、を備えて構成されている。
【発明の効果】
【００１７】
本発明によれば、通信端末と呼処理制御装置とが断絶した場合において、通信端末に着信を許可するまでに要する時間を軽減することができる。
【図面の簡単な説明】
【００１８】
【図１】本発明の一実施形態に係る情報通信制御システムの構成を示す図である。
【図２】本発明の他の実施形態に係る情報通信制御システムの構成を示す図である。
【図３】本発明の他の実施形態に係る通信端末の内部構成を示す図である。
【図４】本発明の他の実施形態に係るアクセス装置の内部構成を示す図である。
【図５】本発明の他の実施形態に係る複製装置の内部構成を示す図である。
【図６】本発明の他の実施形態に係る呼処理制御装置の内部構成を示す図である。
【図７】本発明の他の実施形態に係る加入者情報収容装置の内部構成について説明する。
【図８】本発明の他の実施形態に係るプロファイルデータベースの一例を示す図である。
【図９】本発明の他の実施形態に係る情報通信制御システムの動作を示すシーケンス図である。
【図１０】複製処理を示すフローチャートである。
【図１１】従来の情報通信制御システムの構成を示す図である。
【発明を実施するための形態】
【００１９】
以下、本発明の実施の形態について、図面を用いて説明する。
【００２０】
（第１の実施形態）
図１を用いて、本発明の一実施の形態について説明する。図１は、本発明の一実施の形態に係る情報通信制御システムの構成を示す図である。
【００２１】
図１に例示されるように、本実施形態の情報通信制御システムは、呼制御信号と情報信号とが異なる経路を経由するＩＭＳ／ＭＭＤのようなＩＰ電話システムにおけるものである。
【００２２】
なお、ＩＭＳ（ＩＰ  Ｍｕｌｔｉｍｅｄｉａ  Ｓｕｂｓｙｓｔｅｍ）／ＭＭＤ（Ｍｕｌｔｉ−Ｍｅｄｉａ  Ｄｏｍａｉｎ）を示している。また、ＩＰ（Ｉｎｔｅｒｎｅｔ  Ｐｒｏｔｏｃｏｌ）を示している。
【００２３】
本実施形態において、情報通信制御システムは、複数の呼制御装置１０６（呼制御装置１０６−１、呼制御装置１０６−２）と、複製装置１０５と、を具備している。
【００２４】
この複数の呼制御装置１０６は、夫々、通信端末１０１から送信された呼制御信号にしたがって、呼に関する制御を行う役目を果たしている。
【００２５】
また、複製装置１０５は、通信端末１０１から送信された呼制御信号を受信し、受信した呼制御信号を複製する役目を果たしている。
【００２６】
具体的には、複製装置１０５は、情報処理部１５１と、情報送信部１５３と、を具備している。
【００２７】
この情報処理部１５１は、通信端末１０１から送信された呼制御信号を複製する役目を果たしている。
【００２８】
また、情報送信部１５３は、情報処理部１５１により複製された呼制御信号を呼制御装置１０６−１及び呼制御装置１０６−２の夫々に送信する役目を果たしている。
【００２９】
このように、本実施形態では、通信端末１０１から呼制御信号を受信した際に、情報処理部１５１により呼制御信号を複製している。
【００３０】
そして、複製した呼制御信号を情報送信部１５３により呼制御装置１０６−１及び呼制御装置１０６−２の夫々に送信している。
【００３１】
これにより、本実施形態では、通信端末１０１から再度、呼制御信号を受信せずとも、呼に関する制御を行うことが可能になる。
【００３２】
このように、本実施形態によれば、通信端末１０１と呼制御装置１０６−１とが断絶した場合、呼制御装置１０６−２により再度、呼制御信号を受信する必要がない。
【００３３】
よって、本実施形態によれば、通信端末１０１に着信を許可するまでに要する時間を軽減することができる。
【００３４】
（第２の実施形態）
図２乃至図９を用いて、本発明の他の実施の形態について説明する。まず、図２を用いて、本発明の一実施形態に係る情報通信制御システムの構成について説明する。
【００３５】
図２は、本発明の一実施形態に係る情報通信制御システムの構成を示す図である。なお、本実施形態において、第１の実施形態に同一又は相当する部分については、同一の符号を付して、その説明を省略する。
【００３６】
図２に例示されるように、本実施形態の情報通信制御システムは、呼制御信号と情報信号とが異なる経路を経由するＩＭＳ／ＭＭＤのようなＩＰ電話システムにおけるものである。
【００３７】
本実施形態において、情報通信制御システムは、アクセス装置（ＡＰ）１０２と、ゲートウェイ装置（ＡＧＷ）１０４と、複製装置１０５と、複数の呼制御装置１０６と、加入者情報収容装置１０９と、を具備している。
【００３８】
なお、ＡＰ（Ａｃｃｅｓｓ  Ｐｏｉｎｔ）を示し、ＡＧＷ（Ａｃｃｅｓｓ  Ｇａｔｅｗａｙ）を示している。
【００３９】
アクセス装置１０２（アクセス装置１０２−１、アクセス装置１０２−２）は、アクセス網１０３に存在する通信端末１０１（通信端末１０１−１、通信端末１０１−２）に対し、ゲートウェイ装置１０４に無線を用いて接続させる役目を果たしている。
【００４０】
ゲートウェイ装置１０４は、アクセス装置１０２を介して通信端末１０１に接続され、通信端末１０１から送信された呼制御信号を複製装置１０５に送信する役目を果たしている。
【００４１】
また、ゲートウェイ装置１０４は、後述する加入者情報収容装置１０９から送信された加入者プロファイルを通信端末１０１に送信する役目を果たしている。
【００４２】
複製装置１０５は、ゲートウェイ装置１０４から受信した呼制御信号を複製し、複製した呼制御信号を後述する呼制御装置１０６（呼制御装置１０６−１、呼制御装置１０６−２）に送信する役目を果たしている。
【００４３】
また、複製装置１０５は、後述する加入者情報収容装置１０９から送信された加入者プロファイルを複製し、ゲートウェイ装置１０４に送信する役目を果たしている。
【００４４】
呼制御装置１０６（呼制御装置１０６−１、呼制御装置１０６−２）は、転送装置１０７（転送装置１０７−１、転送装置１０７−２）及び設定装置１０８（設定装置１０８−１、設定装置１０８−２）を具備している。
【００４５】
この転送装置１０７は、複製装置１０５の情報送信部１５３から送信された呼制御信号であるＳＩＰメッセージを受信し、受信したＳＩＰメッセージを設定装置１０８に転送する役目を果たしている。
【００４６】
なお、ＳＩＰ（Ｓｅｓｓｉｏｎ  Ｉｎｉｔｉａｔｉｏｎ  Ｐｒｏｔｏｃｏｌ）を示している。
【００４７】
設定装置１０８は、転送装置１０７から転送されたＳＩＰメッセージにしたがって、呼の設定を行う役目を果たしている。また、設定装置１０８は、通信端末１０１の位置登録の際に、加入者プロファイル取得要求信号を加入者情報収容装置１０９へ送信する役目を果たしている。
【００４８】
ここで、本実施形態において、情報通信制御システムは、呼制御装置１０６として、呼制御装置１０６−１及び呼制御装置１０６−２を有している。呼制御装置１０６−１は、通常時に呼制御信号であるＳＩＰメッセージを受信した際に、後述する加入者情報収容装置１０９に加入者プロファイル取得要求信号を送信している。
【００４９】
これに対し、呼制御装置１０６−２は、呼制御装置１０６−１のバックアップとして機能し、例えば、通信端末１０１と呼制御装置１０６−１とが断絶した際に、加入者情報収容装置１０９に加入者プロファイル取得要求信号を送信している。
【００５０】
加入者情報収容装置１０９は、設定装置１０８に接続され、ＩＭＳ／ＭＭＤに接続された通信端末１０１を識別するための加入者識別情報、通信端末１０１へ提供するサービスの内容等の加入者情報を記憶する役目を果たしている。
【００５１】
また、加入者情報収容装置１０９は、設定装置１０８から送信された加入者プロファイル取得要求信号に応じた加入者プロファイルを返信信号として、設定装置１０８に送信する役目を果たしている。
【００５２】
次に、図３を用いて、通信端末１０１の内部構成について説明する。図３は、本発明の一実施形態に係る通信端末１０１の内部構成を示す図である。図３に例示されるように、通信端末１０１は、主に、記憶部１１０と、端末識別情報抽出部１１１と、情報送信部１１２と、を具備している。
【００５３】
この記憶部１１０は、通信端末１０１に関する情報を記憶する。具体的には、記憶部１１０の中には、通信端末１０１の端末識別情報が含まれる。ここで、端末識別情報とは、２Ｇ端末や３Ｇ端末といった、提供されるサービスを識別することができる端末の世代等の種別を示す情報である。
【００５４】
端末識別情報抽出部１１１は、記憶部１１０から端末識別情報を抽出し、抽出した端末識別情報を情報送信部１１２へ出力する。なお、記憶部１１０から端末識別情報を抽出するタイミングは、通信端末１０１が位置登録を行うタイミングである。
【００５５】
情報送信部１１２は、通信端末１０１から送信すべき情報をアクセス装置１０２へ送信する。
【００５６】
次に、図４を用いて、本発明の一実施形態に係るアクセス装置１０２の内部構成について説明する。図４は、本発明の一実施形態に係るアクセス装置１０２の内部構成を示す図である。
【００５７】
図４に例示されるように、アクセス装置１０２は、主に、情報受信部１２０、情報処理部１２１、記憶部１２２、アクセス網種別情報抽出部１２３と、情報送信部１２４と、を具備している。
【００５８】
情報受信部１２０は、通信端末１０１から送信された情報を受信する。このとき、情報受信部１２０は、通信端末１０１から送信された端末識別情報も受信する。
【００５９】
情報処理部１２１は、情報受信部１２０にて受信された情報について所定の処理を行う。この所定の処理は、一般的に行われている処理であるため、ここでは処理の内容の詳細な説明を省略する。
【００６０】
記憶部１２２は、アクセス装置１０２に関する情報を記憶する。具体的には、記憶部１２２の中には、アクセス装置１０２のアクセス網種別情報が含まれる。ここで、アクセス網種別情報とは、アクセス装置１０２によりカバーされるアクセス網１０３で提供可能なサービスを識別することができるアクセス網の種別を示す情報である。
【００６１】
アクセス網種別情報抽出部１２３は、記憶部１２２からアクセス網種別情報を抽出し、抽出したアクセス網種別情報を情報送信部１２４へ出力する。記憶部１２２からアクセス網種別情報を抽出するタイミングは、通信端末１０１から送信された端末識別情報がアクセス装置１０２にて受信されたタイミングである。
【００６２】
情報送信部１２４は、情報処理部１２１にて処理された情報及びアクセス網種別情報抽出部１２１から出力されたアクセス網種別情報をゲートウェイ装置１０４に送信する。
【００６３】
次に、図５を用いて、本発明の一実施形態に係る複製装置１０５の内部構成について説明する。図５は、本発明の一実施形態に係る複製装置１０５の内部構成を示す図である。
【００６４】
図５に例示されるように、複製装置１０５は、主に、情報受信部１５０と、情報処理部（呼制御信号複製手段）１５１と、記憶部１５２と、情報送信部（呼制御信号送信手段）１５３と、を具備している。
【００６５】
情報受信部１５０は、ゲートウェイ装置１０４から送信された呼制御信号を受信する。また、情報受信部１５０は、後述する呼制御装置１０６から送信された加入者プロファイルを受信する。
【００６６】
情報処理部１５１は、情報受信部１５０にて受信された呼制御信号を複製する処理を行う。また、情報処理部１５１は、情報受信部１５０にて受信された加入者プロファイルを複製する処理を行う。
【００６７】
記憶部１５２は、情報処理部１５１にて複製した呼制御信号を記憶する。また、記憶部１５２は、情報処理部１５１にて複製した加入者プロファイルを記憶する。
【００６８】
情報送信部１５３は、情報処理部１５１にて処理された呼制御信号を呼制御装置１０６に送信する。また、情報送信部１５３は、情報処理部１５２にて処理された加入者プロファイルをゲートウェイ装置１０４に送信する。
【００６９】
次に、図６を用いて、本発明の一実施形態に係る呼制御装置１０６の内部構成について説明する。図６は、本発明の一実施形態に係る呼制御装置１０６の内部構成を示す図である。
【００７０】
図６に例示されるように、呼制御装置１０６は、転送装置１０７及び設定装置１０８を具備している。また、呼制御装置１０６の転送装置１０７は、情報受信部１６０と、情報転送部１６１と、を具備している。
【００７１】
また、呼制御装置１０６の設定装置１０８は、情報受信部１６２と、情報処理部１６３と、情報送信部１６４と、を具備している。
【００７２】
呼制御装置１０６の情報受信部１６０は、複製装置１０５から送信された呼制御信号を受信する。
【００７３】
情報転送部１６１は、情報受信部１６０にて呼制御信号であるＳＩＰメッセージを設定装置１０８に転送する。
【００７４】
転送装置１０７の情報受信部１６２は、転送装置１０７にて転送されたＳＩＰメッセージを受信する。
【００７５】
情報処理部１６３は、情報受信部１６２にて受信したＳＩＰメッセージにしたがって、呼の設定を行う。
【００７６】
情報送信部１６４は、加入者プロファイル取得要求信号を加入者情報収容装置１０９に送信する。
【００７７】
次に、図７を用いて、本発明の一実施形態に係る加入者情報収容装置１０９の内部構成について説明する。図７は、本発明の一実施形態に係る加入者情報収容装置１０９の内部構成を示す図である。
【００７８】
図７に例示されるように、加入者情報収容装置１０９は、プロファイルデータベース１９０と、情報受信部１９１と、プロファイル抽出部１９２と、情報送信部１９３と、を具備している。
【００７９】
プロファイルデータベース１９０は、加入者情報のサービスプロファイルを記憶する。具体的には、プロファイルデータベース１９０は、端末識別情報及びアクセス網種別情報に応じたサービス内容を記憶する。これらの情報は、予め記憶されているものである。
【００８０】
情報受信部１９１は、通信端末１０１の位置登録の際に設定装置１０８から送信された加入者プロファイル取得要求信号を受信する。受信した加入者プロファイル取得要求信号には、加入者端末を識別可能に固有に付与された加入者識別情報と、端末識別情報と、アクセス網種別情報と、が含まれる。また、情報受信部１９１は、受信した加入者プロファイル取得要求信号をプロファイル抽出部１９２へ出力する。
【００８１】
プロファイル抽出部１９２は、情報受信部１９１から出力された加入者プロファイル取得要求信号に基づいて、プロファイルデータベース１９０に記憶されている加入者プロファイルを抽出する。抽出した加入者プロファイルを情報送信部１９３へ出力する。
【００８２】
情報送信部１９３は、プロファイル抽出部１９２から出力された加入者プロファイルを設定装置１０８へ返信信号として送信する。
【００８３】
次に、図８を用いて、プロファイルデータベース１９０について説明する。図８は、プロファイルデータベース１９０を示す図である。図８に例示されるように、プロファイルデータベース１９０には、加入者情報と種別情報とが記憶されている。
【００８４】
加入者情報は、加入者識別情報とサービス内容とが対応付けられて記憶されているものである。ここで、加入者識別情報とは、通信端末１０１を識別可能に固有に付与された情報である。
【００８５】
例えば、通信端末１０１の電話番号等である。一例を示すと、加入者識別情報が「＋８１９０１１１１１１１１」である加入者端末には、「Ａ」または「Ｂ」または「Ｃ」のサービスが提供できることが記憶されている。
【００８６】
また、他例を示すと、加入者識別情報が「＋８１９０２２２２２２２２」である加入者端末には、「Ｂ」または「Ｃ」のサービスが提供できることが記憶されている。
【００８７】
また、加入者識別情報が「＋８１９０３３３３３３３３」である加入者端末には、「Ａ」または「Ｃ」または「Ｄ」のサービスが提供できることが記憶されている。
【００８８】
また、種別情報は、端末種別情報とアクセス種別情報とサービス内容とが記憶されているものである。一例を示すと、端末種別情報が「ｘ」であり、アクセス網種別情報が「ａ」である場合、提供できるサービスは「Ａ」であることが記憶されている。
【００８９】
また、他例を示すと、端末種別情報が「ｘ」であり、アクセス網種別情報が「ｂ」である場合、提供できるサービスは「Ｂ」であることが記憶されている。また、端末種別情報が「ｙ」であり、アクセス網種別情報が「ａ」である場合、提供できるサービスは「Ｃ」であることが記憶されている。また、端末種別情報が「ｙ」であり、アクセス網種別情報が「ｂ」である場合、提供できるサービスは「Ｄ」であることが記憶されている。
【００９０】
このように、設定装置１０８から送信された加入者プロファイル取得要求信号に基づいて、プロファイルデータベース１９０の中から検索することで、通信端末１０１に提供可能なサービスを特定することが可能になる。
【００９１】
また、図８に例示されるように、加入者情報及び種別情報が、プロファイルデータベース１９０に記憶されることにより、例えば、加入者識別情報が「＋８１９０１１１１１１１１」である加入者端末の端末種別情報が「ｘ」であり、当該加入者端末が接続されているアクセス網種別情報が「ａ」である場合、当該加入者端末へ提供することができるサービス内容は「Ａ」となる。
【００９２】
また、加入者識別情報が「＋８１９０１１１１１１１１」である加入者端末の端末種別情報が「ｘ」であり、当該加入者端末が接続されているアクセス網種別情報が「ｂ」である場合、当該加入者端末へ提供することができるサービス内容は「Ｂ」となる。
【００９３】
また、加入者識別情報が「＋８１９０１１１１１１１１」である加入者端末の端末種別情報が「ｙ」であり、当該加入者端末が接続されているアクセス網種別情報が「ａ」である場合、当該加入者端末へ提供することができるサービス内容は「Ｃ」となる。
【００９４】
また、加入者識別情報が「＋８１９０２２２２２２２２」である加入者端末の端末種別情報が「ｘ」であり、当該加入者端末が接続されているアクセス網種別情報が「ｂ」である場合、当該加入者端末へ提供することができるサービス内容は「Ｂ」となる。
【００９５】
また、加入者識別情報が「＋８１９０２２２２２２２２」である加入者端末の端末種別情報が「ｙ」であり、当該加入者端末が接続されているアクセス網種別情報が「ａ」である場合、当該加入者端末へ提供することができるサービス内容は「Ｃ」となる。
【００９６】
また、加入者識別情報が「＋８１９０３３３３３３３３」である加入者端末の端末種別情報が「ｘ」であり、当該加入者端末が接続されているアクセス網種別情報が「ａ」である場合、当該加入者端末へ提供することができるサービス内容は「Ａ」となる。
【００９７】
また、加入者識別情報が「＋８１９０３３３３３３３３」である加入者端末の端末種別情報が「ｙ」であり、当該加入者端末が接続されているアクセス網種別情報が「ａ」である場合、当該加入者端末へ提供することができるサービス内容は「Ｃ」となる。
【００９８】
また、加入者識別情報が「＋８１９０３３３３３３３３」である加入者端末の端末種別情報が「ｙ」であり、当該加入者端末が接続されているアクセス網種別情報が「ｂ」である場合、当該加入者端末へ提供することができるサービス内容は「Ｄ」となる。
【００９９】
次に、図９を用いて、本発明の一実施形態に係る情報通信制御システムの動作について説明する。図９は、本発明の一実施形態に係る情報通信制御システムの動作を示すシーケンス図である。
【０１００】
ステップＳ１において、通信端末１０１は、位置登録を行う際に、呼制御信号送信処理を行う。具体的には、この処理において、通信端末１０１は、呼制御信号として加入者情報をアクセス装置１０２に送信する。
【０１０１】
ここで、通信端末１０１は、送信される加入者情報として、一般的な位置登録に必要な加入者識別情報及び端末種別情報等を送信する。
【０１０２】
ステップＳ２において、アクセス装置１０２は、通信端末１０１にて呼制御信号送信処理が行われると、呼制御信号送信処理を行う。
【０１０３】
具体的には、この処理において、アクセス装置１０２は、通信端末１０１から送信された加入者情報及び端末種別情報を情報受信部１２０にて受信する。そして、アクセス装置１０２は、アクセス装置１０２のアクセス網種別情報抽出部１２３によって記憶部１２２からアクセス網種別情報を抽出する。
【０１０４】
また、この処理において、アクセス装置１０２は、情報受信部１２０にて受信された情報について情報処理部１２１にて所定の処理を行う。具体的には、この処理において、アクセス装置１０２は、アクセス網種別情報抽出部１２３によって記憶部１２２から抽出したアクセス網種別情報とともに、情報送信部１２４からゲートウェイ装置１０４を介して複製装置１０５に送信する。
【０１０５】
ステップＳ３において、複製装置１０５は、アクセス装置１０２にて呼制御信号送信処理が行われると、複製処理を行う。なお、この複製処理について、図１０を用いて後述する。
【０１０６】
ステップＳ４において、呼制御装置１０６は、複製装置１０５にて複製処理が行われると、呼制御信号転送処理を行う。具体的には、この処理において、呼制御装置１０６は、転送装置１０７にて、呼制御信号である加入者情報、端末種別情報及びアクセス網種別情報を受信すると、これら加入者情報、端末種別情報及びアクセス網種別情報を設定装置１０８に転送する。
【０１０７】
ステップＳ５において、設定装置１０８は、転送装置１０７にて呼制御信号が転送されると、呼制御信号送信処理を行う。具体的には、この処理において、設定装置１０８は、端末種別情報とアクセス網種別情報とが追加された加入者プロファイル取得要求信号を加入者情報収容装置１０９に送信する。
【０１０８】
ステップＳ６において、加入者情報収容装置１０９は、設定装置１０８から送信された加入者プロファイル取得要求信号に基づいて、加入者プロファイルを検索する。
【０１０９】
具体的には、この処理において、加入者情報収容装置１０９は、設定装置１０８から送信された加入者プロファイル取得要求信号を情報受信部１９１にて受信する。
【０１１０】
そして、加入者情報収容装置１０９は、プロファイル抽出部１９２によって抽出された加入者プロファイル取得要求信号に含まれる加入者識別情報、端末種別情報及びアクセス網種別情報に基づいて、提供できるサービス内容に関し、プロファイルデータベース１９０にて検索し特定する。
【０１１１】
ステップＳ７において、加入者情報収容装置１０９は、検索された加入者プロファイルを送信する。具体的には、この処理において、加入者情報収容装置１０９は、特定されたサービス内容である加入者プロファイルを返信信号として情報送信部１９３から設定装置１０８に送信する。
【０１１２】
ステップＳ８において、呼制御装置１０６は、設定装置１０８にて受信した加入者プロファイルに応じたサービス内容を送信する。
【０１１３】
ステップＳ９において、複製装置１０５は、複製処理を行う。具体的には、この処理において、複製装置１０５は、設定装置１０８にて受信した加入者プロファイルを複製し、複製した加入者プロファイルを記憶部１５２にて記憶しておく。
【０１１４】
また、この処理において、複製装置１０５は、ゲートウェイ装置１０４を介してアクセス装置１０２に送信する。
【０１１５】
なお、この処理において、複製装置１０５は、上述したように、複製した加入者プロファイルを記憶部１５２にて記憶しているが、その後の送信手段については特に限定されない。
【０１１６】
例えば、複製した加入者プロファイルをアクセス装置１０２に送信するか、あるいは、設定装置１０８にて受信した加入者プロファイルを、そのまま送信するか、特に限定されない。
【０１１７】
このように、複製した加入者プロファイルを記憶部１５２にて記憶しておくことで、通信端末１０１と呼制御装置１０６との接続状態が断絶したとしても、通信端末１０１にサービス内容を送信することが可能になる。なお、この複製処理については、図１０を用いて後述する。
【０１１８】
ステップＳ１０において、アクセス装置１０２は、設定装置１０８にて受信した加入者プロファイルに応じたサービス内容を通信端末１０１に送信する。
【０１１９】
次に、図１０を用いて、複製処理について説明する。図１０は、複製処理を示すフローチャートである。具体的には、図９に示すシーケンス図のステップＳ３における複製処理及びステップＳ９における複製処理のサブルーチンである。
【０１２０】
ステップＳ３１において、情報処理部１５１は、情報受信部１５０にて呼制御信号を受信したか否かを判定する。この処理において、情報処理部１５１は、呼制御信号を受信したと判定した場合には、ステップＳ３２に処理を移す。一方、この処理において、情報処理部１５１は、呼制御信号を受信していないと判定した場合には、ステップＳ３３に処理を移す。
【０１２１】
ステップＳ３２において、情報処理部１５１は、呼制御信号を複製する呼制御信号複製処理を行う。
【０１２２】
ステップＳ３３において、情報処理部１５１は、情報受信部１５０にて加入者プロファイルを受信したか否かを判定する。この処理において、情報処理部１５１は、加入者プロファイルであると判定した場合には、ステップＳ３４に処理を移す。一方、この処理において、加入者プロファイルでないと判定した場合には、今回の複製処理を終了する。
【０１２３】
ステップＳ３４において、情報処理部１５１は、加入者プロファイルを複製する加入者プロファイル複製処理を行う。
【０１２４】
ステップＳ３５において、情報処理部１５１は、上記ステップＳ３２で複製した呼制御信号及び上記ステップＳ３４で複製した加入者プロファイルを記憶部１５２に記憶する。
【０１２５】
ステップＳ３６において、情報処理部１５１は、通信端末１０１と、呼制御装置１０６との接続状態を参照する。具体的には、情報処理部１５１は、通信端末１０１から送信される呼制御信号及び加入者情報収容装置１０９から送信される加入者プロファイルに基づいて、通信端末１０１と呼制御装置１０６とが接続されているか否かを参照している。
【０１２６】
接続状態を参照する参照手段の一例として、情報処理部１５１は、呼制御装置１０６に呼制御信号を送信した後に、所定時間内に加入者プロファイルが送信されてきた場合には、接続されていると判定する。
【０１２７】
これに対し、情報処理部１５１は、所定時間が経過しても加入者プロファイルが送信されてこない場合には、接続されていないと判定する。
【０１２８】
ステップＳ３７において、情報処理部１５１は、送信制御処理を行う。具体的には、この処理において、情報処理部１５１は、上記ステップＳ３２で複製された呼制御信号を呼制御装置１０６に送信するため、送信バッファに呼制御信号をセットする。
【０１２９】
また、この処理において、情報処理部１５１は、上記ステップＳ３４で複製された加入者プロファイルをゲートウェイ装置１０４に送信するため、送信バッファに加入者プロファイルをセットする。
【０１３０】
このように、本実施形態では、通信端末１０１から呼制御信号を受信した際に、複製装置１０５により呼制御信号を複製し、呼制御装置１０６−１，１０６−２の夫々に呼制御信号を送信する。
【０１３１】
これにより、例えば、通信端末１０１と呼制御装置１０６−１とが断絶した場合には、通信端末１０１から再度、呼制御信号を受信せずとも、呼に関する制御を行うことが可能になる。
【０１３２】
このように、本実施形態によれば、通信端末１０１と呼制御装置１０６−１とが断絶した場合であっても、呼制御装置１０６−２により再度、呼制御信号を受信する必要がない。
【０１３３】
よって、本実施形態によれば、通信端末１０１に加入者プロファイルを送信するまでに要する時間を軽減することができる。
【０１３４】
なお、この処理において、情報処理部１５１は、呼制御装置１０６−１，１０６−２の夫々に呼制御信号を送信しているが、これに限定されず、例えば、まず、呼制御装置１０６−１のみに呼制御信号を送信しても良い。
【０１３５】
具体的には、この処理において、情報処理部１５１は、上記ステップＳ３６で通信端末１０１と呼制御装置１０６との接続状態を参照する。
【０１３６】
そして、情報処理部１５１は、通信端末１０１と呼制御装置１０６−１とが接続していない場合、呼制御装置１０６−２に呼制御信号を送信する処理を行うようにしても良い。ここで、通信端末１０１と呼制御装置１０６−１とが接続していない場合とは、一度、呼制御信号を送信したにもかかわらず、所定時間内に加入者プロファイルが送信されてこない場合をいう。
【０１３７】
このように、本実施形態では、通信端末１０１と呼制御装置１０６−１とが接続している場合には、複製装置１０５に呼制御信号を記憶しておき、呼制御装置１０６−２に呼制御信号を送信しないようにしても良い。
【０１３８】
これにより、本実施形態では、通信端末１０１と呼制御装置１０６−１とが断絶した場合であっても、呼制御装置１０６−２に過度に呼制御信号を送信する必要がなくなる。
【０１３９】
このため、本実施形態では、過度に呼制御信号を送信せずとも、通信端末１０１に加入者プロファイルを送信するまでに要する時間を軽減することが可能になる。
【０１４０】
よって、本実施形態によれば、呼制御装置１０６−２に過度に呼制御信号を送信せずとも、通信端末１０１に加入者プロファイルを送信するまでに要する時間を軽減することが可能になる。
【０１４１】
ここで、従来では、図１１に例示するように、例えば、通信端末１０１と呼制御装置１０６−１とが断絶した場合、バックアップ用の呼制御装置１０１−２を用いて、通信端末に着信を許可することが想定し得る。
【０１４２】
しかしながら、バックアップ用の呼制御装置１０１−２を用いて、通信端末１０１に着信を許可する場合、バックアップ用の呼制御装置１０１−２を用いただけでは、通信端末１０１から新たに呼制御信号を受信しなければならない。
【０１４３】
このため、通信端末１０１に着信を許可するまでに時間を要してしまう可能性がある。
【０１４４】
これに対し、本実施形態では、複製装置１０５にて呼制御信号を複製しているため、通信端末１０１から新たに呼制御信号を受信する必要がなく、複製装置１０５から呼制御装置１０６に呼制御信号を送信することが可能になる。
【０１４５】
これにより、本実施形態では、通信端末１０１と呼制御装置１０６とが断絶した場合において、通信端末１０１に着信を許可するまでに要する時間を軽減することができる。
【符号の説明】
【０１４６】
１０１    通信端末（通信端末１０１−１、通信端末１０１−２）
１０２    アクセス装置（アクセス装置１０２−１、アクセス装置１０２−２）
１０３    アクセス網
１０４    ゲートウェイ装置
１０５    複製装置
１０６    呼制御装置（呼制御装置１０６−１、呼制御装置１０６−２）
１０７    転送装置（転送装置１０７−１、転送装置１０７−２）
１０８    設定装置（設定装置１０８−１、設定装置１０８−２）
１０９    加入者情報収容装置
【図１】
2015177489.tif 000003
【図２】
2015177489.tif 000004
【図３】
2015177489.tif 000005
【図４】
2015177489.tif 000006
【図５】
2015177489.tif 000007
【図６】
2015177489.tif 000008
【図７】
2015177489.tif 000009
【図８】
2015177489.tif 000010
【図９】
2015177489.tif 000011
【図１０】
2015177489.tif 000012
【図１１】
2015177489.tif 000013